(57)【特許請求の範囲】
【請求項１】
本体ケーシングと、
前記本体ケーシングから前方に突出して設けたガイドバーと、
前記ガイドバーの外周に張設したソーチェーンと、
前記本体ケーシング内に設けられ、前記ソーチェーンを前記ガイドバーの外周に沿って回転させる電動モータと、
前記本体ケーシングの後部から後方に延出して設けられ、作業者が把持するグリップ部を有したリアハンドルと、
前記本体ケーシングに着脱可能に取り付けられ、前記電動モータに給電する電源であり、電動工具の電源として使用可能であるとともに充電可能な複数のバッテリパックとを備えたチェーンソーであって、
前記本体ケーシングの外面には前記複数のバッテリパックを取り付ける取付部を配置し、前記複数のバッテリパックを前記取付部に取り付けたときの前記チェーンソーの後側からみたときの重心が前記グリップ部の上下方向に延びる左右方向の中心線から左右両側に前記グリップ部の左右方向の幅の１．５倍の範囲に位置するように、前記複数のバッテリパックを配置したことを特徴とするチェーンソー。
【請求項２】
請求項１に記載のチェーンソーにおいて、
前記チェーンソーの後側から見たときの重心を前記グリップ部の上下方向に延びる左右方向の中心線から前記グリップ部の左右方向の幅の１．５倍の範囲内にて左右方向にオフセットさせたことを特徴とするチェーンソー。
【請求項３】
請求項１または２に記載のチェーンソーにおいて、
前記複数のバッテリパックの各々の重心を前記グリップ部の上下方向に延びる左右方向の中心線から前記グリップ部の左右方向の幅の１．５倍の範囲に位置するように配置したことを特徴とするチェーンソー。
【請求項４】
請求項１〜３の何れか１項に記載のチェーンソーにおいて、
前記取付部には前記バッテリパックを案内するガイドレールが上下に延出して設けられ、前記複数のバッテリパックは２つのバッテリパックであるときに、前記２つのバッテリパックの重心が前記グリップ部の上下方向に延びる左右方向の中心線から左右両側に分かれるように配置したことを特徴とするチェーンソー。
【請求項５】
請求項１〜４の何れか１項に記載のチェーンソーにおいて、
前記複数のバッテリパックを並列した位置に配置したことを特徴とするチェーンソー。
【請求項６】
請求項５に記載のチェーンソーにおいて、
前記バッテリパックの体積が２００ｃｍ3以上であり、
前記並列した位置に配置した複数のバッテリパックの互いに隣り合う壁面の間隔を１５ｍｍ未満としたことを特徴とするチェーンソー。
【請求項７】
請求項１〜６の何れか１項に記載のチェーンソーにおいて、
前記本体ケーシングには前記複数のバッテリパックを取り付けるための複数の取付部を備えたことを特徴とするチェーンソー。
【請求項８】
請求項１〜７の何れか１項に記載のチェーンソーにおいて、
前記バッテリパックは電池を内蔵したケーシングの周壁に電気コネクタと、前記電気コネクタの両側に配置される一対のレールを備え、
前記取付部は前記電気コネクタに電気的に接続されるコネクタ部と、前記コネクタ部の両側に配置されて前記一対のレールに摺動自在に係合する一対のガイドレールを備えたことを特徴とするチェーンソー。
【請求項９】
請求項１〜８の何れか１項に記載のチェーンソーにおいて、
前記複数のバッテリパックを前記電動モータに対して直列接続したことを特徴とするチェーンソー。
【請求項１０】
請求項１〜８の何れか１項に記載のチェーンソーにおいて、
前記複数のバッテリパックを前記電動モータに対して並列接続したことを特徴とするチェーンソー。
【発明の詳細な説明】
【技術分野】
【０００１】
本発明は、充電式のバッテリパックを用いた電動式のチェーンソーに関する。
【背景技術】
【０００２】
特許文献１には電動式のチェーンソーが開示されている。このチェーンソーは、本体ケーシングと、本体ケーシングから前方に突出して設けた板状のガイドバーと、ガイドバーの外周に張設したソーチェーンと、本体ケーシング内にてソーチェーンをガイドバーに沿って回転させる電動モータと、電動モータに給電する充電式のバッテリパックとを備えている。また、このチェーンソーは、ハウジングの後部から後方に延出するリアハンドルと、ハウジングの前部にて左右方向に延出するサイドハンドルとを備え、リアハンドルには電動モータを作動させるトリガスイッチが設けられている。
【０００３】
このチェーンソーを使用するときには、作業者は右手でリアハンドルと左手でサイドハンドルとを把持し、右手の手指でトリガスイッチを操作して電動モータを作動させると、ソーチェーンがガイドバーの外周を回転し、ガイドバーの外周を回転するソーチェーンを木材に当てることにより、木材が回転するソーチェーンによって切断される。
【先行技術文献】
【特許文献】
【０００４】
【特許文献１】特開２０１０−２０１６１２号公報
【発明の概要】
【発明が解決しようとする課題】
【０００５】
上記のチェーンソーは１つのバッテリパックによって電動モータに給電するようにしたものであり、このバッテリパックには高出力の電動モータを駆動させるために高電圧（例えば３６Ｖ）の規格で大型のものが多く用いられていた。この高電圧で大型のバッテリパックは高価であり汎用性が高くないので、一般のユーザが所有している電動工具等の他の作業機の電源に適合しないことが多かった。そこで、チェーンソーの電源に電動工具等で用いられる小型で汎用性の高いバッテリパックを複数にして用いるようにすれば、ユーザは例えば電圧の規格が異なる多種のバッテリパックを所持する必要がなくなり、ユーザの使い勝手がよくなる。しかし、複数のバッテリパックを本体ケーシングの適切な位置に取り付けないと、チェーンソーが左右に傾きやすくなり、チェーンソーの操作性が低下するおそれがあった。本発明は、チェーンソーの電源に小型で汎用性の高い複数のバッテリパックを用いたときに、操作性のよいチェーンソーを提供することを目的とする。
【課題を解決するための手段】
【０００６】
上記課題を解決するために、本発明は、本体ケーシングと、本体ケーシングから前方に突出して設けたガイドバーと、ガイドバーの外周に張設したソーチェーンと、本体ケーシング内に設けられ、ソーチェーンをガイドバーの外周に沿って回転させる電動モータと、本体ケーシングの後部から後方に延出して設けられ、作業者が把持するグリップ部を有したリアハンドルと、本体ケーシングに着脱可能に取り付けられ、電動モータに給電する電源であり、電動工具の電源として使用可能であるとともに充電可能な複数のバッテリパックとを備えたチェーンソーであって、本体ケーシングの外面には複数のバッテリパックを取り付ける取付部を配置し、複数のバッテリパックを取付部に取り付けたときのチェーンソーの後側からみたときの重心がグリップ部の上下方向に延びる左右方向の中心線から左右両側にグリップ部の左右方向の幅の１．５倍の範囲に位置するように、複数のバッテリパックを配置したことを特徴とするチェーンソーを提供するものである。
【０００７】
上記のように構成したチェーンソーにおいては、本体ケーシングの外面には複数のバッテリパックを取り付ける取付部を配置し、複数のバッテリパックを取付部に取り付けたときのチェーンソーの後側からみたときの重心がグリップ部の上下方向に延びる左右方向の中心線から左右両側にグリップ部の左右方向の幅の１．５倍の範囲に位置するように、複数のバッテリパックを配置したので、チェーンソーのリアハンドルのグリップ部を把持したときに、チェーンソーが左右方向に大きく傾きにくくなる。これにより、グリップ部を強く把持する必要がなく、作業者が疲れにくくなった。
【０００８】
上記のように構成したチェーンソーにおいては、チェーンソーの後側から見たときの重心をグリップ部の上下方向に延びる左右方向の中心線からグリップ部の左右方向の幅の１．５倍の範囲内にて左右方向にオフセットさせるのが好ましく、このようにしたときには、チェーンソーが左右方向に僅かに傾くようになってチェーンソーの操作性が良くなった。また、複数のバッテリパックの各々の重心をグリップ部の上下方向に延びる左右方向の中心線からグリップ部の左右方向の幅の１．５倍の範囲に位置するように配置するのが好ましく、このようにしたときには、チェーンソーが左右方向にさらに傾きにくくなった。さらに、取付部にはバッテリパックを案内するガイドレールが上下に延出して設けられ、複数のバッテリパックは２つのバッテリパックであるときに、２つのバッテリパックの重心がグリップ部の上下方向に延びる左右方向の中心線から左右両側に分かれるように配置するのが好ましく、このようにしたときには、チェーンソーは左右方向にさらに重量のバランスがよくなった。
【０００９】
上記のように構成したチェーンソーにおいては、複数のバッテリパックを並列した位置に配置するのが好ましく、このようにしたときには、複数のバッテリパックの着脱作業の作業性が向上する。また、バッテリパックの体積が２００ｃｍ3以上であるときに、並列した位置に配置した複数のバッテリパックの互いに隣り合う壁面の間隔を１５ｍｍ未満としたときには、複数のバッテリパックによる占有空間を狭くすることができる。
【００１０】
上記のように構成したチェーンソーにおいては、複数のバッテリパックを取り付けるために、複数のバッテリパックの数に対応した複数の取付部を備えるのが好ましい。このようにしたチェーンソーにおいては、バッテリパックは電池を内蔵したケーシングの周壁に電気コネクタと、電気コネクタの両側に配置される一対のレールを備え、取付部は電気コネクタに電気的に接続されるコネクタ部と、コネクタ部の両側に配置されて一対のレールに摺動自在に係合する一対のガイドレールを備えるようにしたときには、バッテリパックの一対のレールを取付部のガイドレールに沿って摺動させて取り付けるようにでき、バッテリパックの取付部に対する取付作業の作業性を高くすることができた。
【００１１】
上記のように構成したチェーンソーにおいては、複数のバッテリパックを電動モータに対して直列接続したときには、電動モータを高出力で使用することができる。また、複数のバッテリパックを電動モータに対して並列接続したときには、電動モータを長時間使用することができる。
【図面の簡単な説明】
【００１２】
【図１】本発明のチェーンソーの一実施形態を示す斜視図である。
【図２】図１の平面図である。
【図３】図１の右側面図である。
【図４】図１の後面図であり、後側から見たときの重心等を示す図である。
【図５】バッテリパックを取り外した状態の右側面図である。
【図６】バッテリパックを示す斜視図である。
【図７】図６のＡ−Ａ断面図である。
【図８】変形例１の後面図である。
【図９】変形例２の後面図である。
【図１０】変形例３の右側面図である。
【図１１】変形例４の右側面図である。
【図１２】変形例５の右側面図である。
【図１３】変形例６の右側面図である。
【図１４】変形例７の右側面図（ａ）であり、本体ケーシングの後部を回動させたときの右側面図（ａ）である。
【図１５】変形例８の右側面図（ａ）であり、本体ケーシングの後部を回動させたときの右側面図（ａ）である。
【図１６】変形例９の右側面図である。
【図１７】変形例１０の右側面図である。
【図１８】変形例１１の右側面図である。
【図１９】変形例１２の右側面図である。
【図２０】変形例１３の右側面図である。
【発明を実施するための最良の形態】
【００１３】
以下、本発明のチェーンソーの一実施形態を図面を参照して説明する。図１〜図３に示したように、チェーンソー１０は本体ケーシング１１を備えており、本体ケーシング１１の右側面前部には細長い板状のガイドバー２１が前方に突出して設けられている。ガイドバー２１の後部は本体ケーシング１１の右側面前部に設けたスプロケットカバー１２によって覆われており、ガイドバー２１の後部を除いた部分が本体ケーシング１１の前方に突出している。ガイドバー２１の外周にはループ状のソーチェーン２２が回転可能に取り付けられており、ソーチェーン２２はガイドバー２１と、ガイドバー２１の直ぐ後側に回転可能に支持されたスプロケット２４との両者にわたって回転可能に張設されている。ソーチェーン２２には複数の刃部が連続して設けられており、ソーチェーン２２がガイドバー２１の外周を回転することにより、これら刃部がガイドバー２１の外周を連続的に走行する。
【００１４】
図２及び図３に示したように、本体ケーシング１１内の前部には電動モータ２３が収容されており、電動モータ２３はソーチェーン２２をガイドバー２１の外周に沿って回転させるものである。電動モータ２３の出力軸２３ａはスプロケットカバー１２内に突出しており、出力軸２３ａにはスプロケット２４が固定されている。電動モータ２３の駆動によってスプロケット２４を回転させると、ソーチェーン２２は回転するスプロケット２４によってガイドバー２１の外周に沿って回転する。
【００１５】
図１〜図４に示したように、本体ケーシング１１の後部には後方に延出したリアハンドル１３が設けられており、本体ケーシング１１の前後方向の中間部にはサイドハンドル１５が設けられている。リアハンドル１３は側面から見た形状が後側が閉じられた方向に倒した略Ｕ字形をしており、リアハンドル１３の上部は作業者が把持するグリップ部１３ａとなっている。リアハンドル１３のグリップ部１３ａは長手方向と直交する方向の断面形状は略円形となっており、グリップ部１３ａの左右方向の長さ（幅）Ｗは手で把持する大きさに適した長さとして３０ｍｍとなっている。なお、グリップ部１３ａの左右方向の長さを手で把持するのに適した範囲として２５ｍｍ〜４０ｍｍとしてもよい。リアハンドル１３のグリップ部１３ａの前部には下面側にトリガスイッチ１４が設けられており、電動モータ２３はトリガスイッチ１４を押動操作することによって駆動する。
【００１６】
図１〜図４に示したように、サイドハンドル１５は本体ケーシング１１の前後方向の中間部を跨ぐように下側が開いた略Ｕ字形をしており、サイドハンドル１５の長手方向の両端部が本体ケーシング１１の両側部に固定されている。サイドハンドル１５は本体ケーシング１１の上側となる長手方向の中間部を作業者が把持するグリップ部１５ａとしている。なお、サイドハンドル１５は下側が開いた略Ｕ字形としたが、これに限られるものでなくループ形状としてＯ字形としてもよい。
【００１７】
図１〜図４に示したように、本体ケーシング１１の後部には電動モータ２３に給電する電源３０が着脱可能に取り付けられており、この実施形態の電源３０は本体ケーシング１１の後部にて左右両側に並んで配置された２つの（複数の）バッテリパック３１よりなる。図５はバッテリパック３１を取り外した状態の本体ケーシング１１の右側面図であり、本体ケーシング１１の後部の中央部には２つバッテリパック３１を取り付けるための２つの取付部２５が設けられている（図５では右側の取付部のみを示し、左側の取付部は右側の取付部と左右対称となっているため図示は省略する）。２つの取付部２５は本体ケーシング１１の後部の中央部にて互いに隣接する位置に設けられている。また、取付部２５はバッテリパック３１と同じ数となっている。
【００１８】
取付部２５はバッテリパック３１の電気コネクタ３４に着脱可能に接続されるコネクタ部２５ａを備えている。コネクタ部２５ａは電動モータ２３に電気的に接続されており、コネクタ部２５ａにバッテリパック３１の電気コネクタ３４を電気的に接続すると、電動モータ２３はバッテリパック３１に電気的に接続される。コネクタ部２５ａの左右方向の両側には上下方向に延びる左右一対のガイドレール２５ｂが設けられており、バッテリパック３１はこれらガイドレール２５ｂに沿って上下方向にスライド移動可能に取り付けられる。取付部２５の上部には内側に凹んで形成された係止部２５ｃが形成されており、この係止部２５ｃにはバッテリパック３１に設けたフック３６が係止可能となっている。取付部２５の係止部２５ｃにバッテリパック３１のフック３６が係止することより、バッテリパック３１は取付部２５をガイドレール２５ｂに沿って移動するのが規制される。
【００１９】
バッテリパック３１は電動モータ２３の電源として用いられるものであり、図示しない充電器を用いて充電可能となっている。また、バッテリパック３１は電動ドライバ、電動カッタ等の電動工具や刈払機、ヘッジトリマ等の園芸工具の電源として使用可能な汎用性の高い電源である。この実施形態のバッテリパック３１は公称電圧が１８Ｖとなっており、特に他の電動工具や園芸工具に広く用いられているものである。この実施形他では、２つのバッテリパック３１を電動モータ２３に対して直列接続して３６Ｖの電源として使用している。
【００２０】
図６及び図７に示したように、バッテリパック３１は略直方体形状のケーシング３２を備えており、ケーシング３２内には円柱形をした１０本の電池セル３３が収容されている。バッテリパック３１はケーシング３２の長手方向を取付部２５にスライド移動させて取り付ける方向としており、電池セル３３はその軸線方向を取付部２５にスライド移動させて取り付ける方向と直交する方向に収容されている。なお、このバッテリパック３１はケーシング３２の略中心位置が重心Ｇ１となっている。
【００２１】
ケーシング３２の図６に示した上壁（周壁）は取付部２５に対向する壁面であり、ケーシング３２の上壁には取付部２５のコネクタ部２５ａに着脱可能に接続される電気コネクタ３４が設けられている。上述したように電気コネクタ３４に取付部２５のコネクタ部２５ａを電気的に接続することにより、電動モータ２３とバッテリパック３１とが電気的に接続される。ケーシング３２の図６に示した上壁には長手方向に延びる一対のレール３５が一体的に形成されている。一対のレール３５はケーシング３２の長手方向と直交する方向にて電気コネクタ３４の両側に配置されている。ケーシング３２の図６に示した上壁には上側（取付部２５側）に向けて突出するフック３６が設けられており、このフック３６はばね部材３７によって図６に示した上側（取付部２５の係止部２５ｃ側）に付勢されている。
【００２２】
バッテリパック３１を取付部２５に取り付けた状態にて、フック３６を取付部２５の係止部２５ｃに係止させているときには、バッテリパック３１の電気コネクタ３４が取付部２５のコネクタ部２５ａに電気的に接続され、バッテリパック３１はガイドレール２５ｂに沿って移動が規制されている。フック３６を解除ボタン３６ａによりばね部材３７の付勢力に抗して係止部２５ｃから後退させると、バッテリパック３１はガイドレール２５ｂに沿って摺動可能となる。この状態で、バッテリパック３１をガイドレール２５ｂに沿ってスライド移動させると、バッテリパック３１の電気コネクタ３４は取付部２５のコネクタ部２５ａから電気的な接続が解除され、バッテリパック３１が取付部２５から取り外される。
【００２３】
図２及び図３に示したように、本体ケーシング１１の内部にはバッテリパック３１から電動モータ２３に対する給電及び電動モータ２３の駆動を制御するコントローラ２６が設けられており、コントローラ２６は取付部２５を設けた位置に近接する位置として取付部２５の下側に配置されている。
【００２４】
上記のように構成したチェーンソー１０は、右手でリアハンドル１３のグリップ部１３ａを把持し、左手でサイドハンドル１５のグリップ部１５ａを把持し、右手の人差し指でグリップ部１３ａの前部のトリガスイッチ１４を押動操作すると、２つのバッテリパック３１からの給電によって電動モータ２３が駆動する。電動モータ２３の駆動によってスプロケット２４が回転すると、ソーチェーン２２がガイドバー２１の外周に沿って回転する。この状態で、ガイドバー２１の外周を回転するソーチェーン２２を丸太等の材木に当てると、ガイドバー２１の外周を回転するソーチェーン２２によって丸太等の材木が切断される。
【００２５】
上記のように構成したチェーンソー１０においては、電動モータ２３に給電する電源３０には電動工具、他の園芸工具に使用可能な、充電可能な２つ（複数）のバッテリパック３１を用いている。このように、チェーンソー１０の電源に電動工具、他の園芸工具にも使用可能な汎用性の高いバッテリパック３１を用いたことで、ユーザはチェーンソー１０と電動工具、他の園芸工具とともに多種の規格（例えば電圧の異なる）のバッテリパックを所持する必要がなく、ユーザの使い勝手を向上させることができた。
【００２６】
また、チェーンソー１０の重心Ｇは、主として、重量物である電動モータ２３の位置と、ガイドバー２１の位置と、同様に重量物である２つのバッテリパック３１の位置によって定まる。チェーンソー１０の重心Ｇの位置が適切でないと操作性が低下するおそれがある。図４に示したように、このチェーンソー１０の後側からみたときの重心Ｇはグリップ部１３ａの上下方向に延びる左右方向の中心線Ｃから左右両側にグリップ部１３ａの左右方向の長さＷ（３０ｍｍ）の１．５倍の長さの範囲Ｒに位置するように、２つのバッテリパック３１を本体ケーシング１１の後部にて左右両側に配置した。これにより、チェーンソー１０のリアハンドル１３のグリップ部１３ａを把持したときに、チェーンソー１０が左右方向に大きく傾きにくくなるため、グリップ部１３ａを強く把持する必要がなくなり、作業者が疲れにくくなった。また、チェーンソー１０の後側からみたときの重心Ｇはグリップ部１３ａの上下方向に延びる左右方向の中心線Ｃから左右両側にグリップ部１３ａの左右方向の長さＷ（３０ｍｍ）の１．５倍の長さの範囲Ｒに含まれた状態で、中心線Ｃから右側に少しオフセットしている。このようにしたことで、チェーンソー１０がわずかに右側（左右方向）に傾き、チェーンソー１０の操作性を良くすることができた。
【００２７】
また、２つバッテリパック３１は各重心Ｇ１はグリップ部１３ａの上下方向に延びる左右方向の中心線Ｃから左右両側にグリップ部１３ａの左右方向の長さＷ（３０ｍｍ）の１．５倍の長さの範囲Ｒに位置している。さらに、２つバッテリパック３１は各重心Ｇ１がグリップ部１３ａの上下方向に延びる左右方向の中心線Ｃから左右両側に分かれるように配置されている。これにより、チェーンソー１０は作業者がリアハンドル１３のグリップ部１３ａを把持したときに左右方向の重量のバランスがよくなるため、作業者はグリップ部１３ａを強く把持する必要がなくなり、作業者がさらに疲れにくくなった。
【００２８】
このチェーンソー１０においては、２つ（複数）のバッテリパック３１を本体ケーシング１１の後部にて左右に並列した位置に配置した。これにより、２つのバッテリパック３１を互いに離間した位置に配置したときと比べ、ユーザによるバッテリパック３１の着脱作業の作業性が向上した。
【００２９】
また、このチェーンソー１０においては、２つのバッテリパック３１を取り付けるために、本体ケーシング１１は後部に２つのバッテリパック３１に対応する２つの取付部２５を備えている。バッテリパック３１は複数の電池セル３３を内蔵したケーシング３２の周壁に電気コネクタ３４と、電気コネクタ３４の両側に配置される一対のレール３５を備え、取付部２５はバッテリパック３１の電気コネクタ３４と電気的に接続されるコネクタ部２５ａと、一対のレール３５に摺動自在に係合する一対のガイドレール２５ｂを備えるようにした。バッテリパック３１の一対のレール３５を取付部２５のガイドレール２５ｂに沿って摺動させる、すなわち、バッテリパック３１を取付部２５に対してスライド移動させることによって、バッテリパック３１を取付部２５に対して電気的に接続した状態で取り付けることができ、バッテリパック３１の取付部２５に対する取付作業の作業性がよくなった。
【００３０】
また、バッテリパック３１には取付部２５に対して進退可能に突出するフック３６と、取付部２５にはフック３６に係止する係止部２５ｃとを備え、フック３６をばね部材３７によって係止部２５ｃに係止するように付勢させている。フック３６はばね部材３７によって係止部２５ｃに係止するように付勢されているので、バッテリパック３１は取付部２５からスライド移動するのが規制され、バッテリパック３１は取付部２５から離脱しないようになっている。フック３６をばね部材３７による付勢力に抗して係止部２５ｃから解除させることで、バッテリパック３１を取付部２５からスライド移動可能な状態とし、バッテリパック３１を取付部２５から取り外すことができる。このように、フック３６を操作するだけで、バッテリパック３１を取付部２５に対してスライド移動を規制またはスライド移動を可能な状態とすることができ、バッテリパック３１の取付部２５に対する取付作業の作業性がよくなった。
【００３１】
また、取付部２５のガイドレール２５ｂを鉛直方向から後方に約１０°傾斜させており、バッテリパック３１を本体ケーシング１１の後部にて左右両側の取付部２５に後方に約１０°傾斜させて取り付けるようにしている。このようにバッテリパック３１を後方に傾斜させて取り付けるようにしたことで、作業者は一方の手で地面等に載置したチェーンソー１０のサイドハンドル１５を把持して地面側に押さえつけるとともに、他方の手でバッテリパック３１を掴んでサイドハンドル１５と反対側となる斜め上側後方に引き出すようにして、バッテリパック３１を取付部２５から簡単に取り外すことができるようになった。
【００３２】
次に、このチェーンソー１０において、２つのバッテリパック３１を用いた他の変形例について説明する。以下の説明においては、主として上述した実施形態のチェーンソー１０と異なることについて説明し、別段の記載がない限り上述した作用効果の記載を省略している。また、変形例の各図面はガイドバー２１、ソーチェーン２２及び電動モータ２３が上述した実施形態と同様であるために図示せずに省略している。
【００３３】
（変形例１）
上述した実施形態のチェーンソー１０においては、図４の後面図に示したように、取付部２５を左右の外側に傾くことなく起立させているのに対し、変形例１のチェーンソー１０は、図８の後面図に示したように、左右の取付部２５を上部側が外側に傾くように本体ケーシング１１の後部の左右両側に配設し、バッテリパック３１を本体ケーシング１１の後部の左右両側にて上部側が外側に傾くように取り付けるようした。
【００３４】
（変形例２）
上述した実施形態のチェーンソー１０においては、図３の右側面図及び図４の後面図に示したように、バッテリパック３１を本体ケーシング１１の後部の左右両側にて上側からスライド移動させて取り付けるようにしているのに対し、変形例２のチェーンソー１０は、図９の後面図に示したように、取付部２５を上下方向を逆向きとすることにより、バッテリパック３１を本体ケーシング１１の後部の左右両側にて下側からスライド移動させて取り付けるようにした。
【００３５】
（変形例３）
上述した実施形態のチェーンソー１０においては、図３の右側面図に示したように、取付部２５を鉛直方向から後方に約１０°傾斜させており、バッテリパック３１を本体ケーシング１１の後部の左右両側にて後方に約１０°傾斜させて取り付けているのに対し、変形例３のチェーンソー１０は、図１０の右側面図に示したように、取付部２５を鉛直方向に起立させ、バッテリパック３１を本体ケーシング１１の後部の左右両側にて鉛直方向に起立して取り付けるようにした。このようにしたときには、作業者は一方の手で地面等に載置したチェーンソー１０のリアハンドル１３またはサイドハンドル１５を把持して地面側に押さえつけるとともに、他方の手でバッテリパック３１を掴んで上方に引き出すようにして、バッテリパック３１を取付部２５から簡単に取り外すことができるようになった。
【００３６】
（変形例４）
上述した実施形態のチェーンソー１０においては、図３の右側面図に示したように、取付部２５を鉛直方向から後方に約１０°傾斜させており、バッテリパック３１を本体ケーシング１１の後部の左右両側にて後方に約１０°傾斜させて取り付けているのに対し、変形例４のチェーンソー１０は、図１１の右側面図に示したように、取付部２５を鉛直方向から前方に約１０°傾斜させており、バッテリパック３１を本体ケーシング１１の後部の左右両側にて前方に約１０°傾斜させて取り付けるようにした。このようにしたときには、作業者は一方の手で地面等に載置したチェーンソー１０のリアハンドル１３を把持して地面側に押さえつけるとともに、他方の手でバッテリパック３１を掴んでリアハンドル１３と反対側となる斜め上側前方に引き出すようにして、バッテリパック３１を取付部２５から簡単に取り外すことができるようになった。
【００３７】
（変形例５）
変形例５のチェーンソー１０は、図１２の右側面図に示したように、本体ケーシング１１の後部上面にて２つの取付部２５を左右に並べて配設し、２つのバッテリパック３１を本体ケーシング１１の後部上面にて２つの取付部２５の各々に左右に並べて取り付けるようにした。２つ取付部２５及び２つのバッテリパック３１はリアハンドル１３のグリップ部１３ａの上下方向に延びる左右方向の中心線Ｃの左右両側に配置されており（後面図は省略している）、チェーンソー１０の後側から見たときの重心は中心線Ｃからグリップ部１３ａの左右方向の幅の１．５倍の範囲Ｒに位置している。左右に並べて取り付けた２つのバッテリパック３１の互いに隣り合う壁面の間隔は５ｍｍとなっており、２つのバッテリパック３１による占有空間を狭くしている。なお、２つのバッテリパック３１の互いに隣り合う壁面の間隔を１５ｍｍ未満としていれば、２つのバッテリパック３１による占有空間を十分に狭くすることができる。
【００３８】
また、取付部２５は本体ケーシング１１の後部上面にて後部が上側となるように傾斜しており、バッテリパック３１は本体ケーシング１１の後部上面にて後部が上側となるように傾斜して取り付けられている。このようにしたときには、作業者は一方の手で地面等に載置したチェーンソー１０のサイドハンドル１５を把持して地面側に押さえつけるとともに、他方の手でバッテリパック３１を掴んでサイドハンドル１５と反対側となる斜め上側後方に引き出すようにして、バッテリパック３１を取付部２５から簡単に取り外すことができるようになった。
【００３９】
（参考例１）
参考例１のチェーンソー１０は、図１３の右側面図に示したように、上述した実施形態のチェーンソー１０において、本体ケーシング１１の各取付部２５の周囲に上面が開口したバッテリパック収容カバー１６を設けたものである。バッテリパック収容カバー１６はバッテリパック３１の上端部以外を覆うものである。バッテリパック収容カバー１６はバッテリパック３１の殆どの部分を覆っているので、バッテリパック３１には作業中に傷が付きにくくなった。また、バッテリパック収容カバー１６の底部には板ばねよりなるばね部材１７が設けられており、バッテリパック３１はこのばね部材１７によって上側に付勢されている。バッテリパック収容カバー１６内にてバッテリパック３１を取付部２５に取り付けた状態から、バッテリパック３１のフック３６を取付部２５の係止部２５ｃから解除させれば、バッテリパック３１はばね部材１７による付勢力により上側に押し出される。バッテリパック３１の上部はバッテリパック収容カバー１６の上面の開口から突き出た状態となるので、バッテリパック３１の上部を摘んでバッテリパック収容カバー１６から上側に引き出して簡単に取り外すことができる。
【００４０】
（参考例２）
参考例２のチェーンソー１０は、図１４の右側面図に示したように、本体ケーシング１１の内部にバッテリパック収容部１１ｃを設けたものである。本体ケーシング１１は後部を除く本体部１１ａとリアハンドル１３を含めた後部１１ｂとに分割されており、後部１１ｂの前側上端は本体部１１ａの後側上端に水平軸線回りに回動可能に支持されている。本体ケーシング１１の本体部１１ａには上下に２つのバッテリパック収容部１１ｃが設けられており、バッテリパック収容部１１ｃは後部１１ｂを回動させた状態にて後側が開口している。上下の各バッテリパック収容部１１ｃには後側の開口からバッテリパック３１が着脱自在に収容される。各バッテリパック収容部１１ｃには上述した取付部２５が設けられており、各バッテリパック収容部１１ｃに収容されたバッテリパック３１は取付部２５に着脱可能に取り付けられる。上段の取付部２５はバッテリパック収容部１１ｃ内の下部に設けられており、下段の取付部２５はバッテリパック収容部１１ｃ内の上部に設けられており、上段及び下段の取付部２５は互いに隣接する位置に設けられている。
【００４１】
また、各バッテリパック収容部１１ｃの前部となる奥部には板ばねよりなるばね部材１７が設けられており、バッテリパック３１はばね部材１７は後側に付勢されている。バッテリパック収容部１１ｃ内にてバッテリパック３１を取付部２５に取り付けた状態で、本体ケーシング１１の後部１１ｂを上側に回動させ、バッテリパック３１のフック３６を取付部２５の係止部２５ｃから解除させれば、バッテリパック３１はばね部材１７による付勢力により後側に押し出される。バッテリパック３１の後部はバッテリパック収容部１１ｃの後側の開口から突き出た状態となるので、バッテリパック３１の後部を摘んでバッテリパック収容部１１ｃから後側に引き出して簡単に取り外すことができる。
【００４２】
（参考例３）
参考例３のチェーンソー１０は、図１５の右側面図に示したように、本体ケーシング１１の内部にバッテリパック収容部１１ｃを設けたものである。本体ケーシング１１は後部を除く本体部１１ａとリアハンドル１３を含めた後部１１ｂとに分割されており、後部１１ｂの前側上端は本体部１１ａの後側上端に水平軸線回りに回動可能に支持されている。本体ケーシング１１の本体部１１ａには左右に２つのバッテリパック収容部１１ｃが設けられており（図１５では右側のバッテリパック収容部１１ｃのみを示し、左側のバッテリパック収容部１１ｃは右側の取付部と左右対称となっているため図示は省略する）、バッテリパック収容部１１ｃは後部１１ｂを回動させた状態にて後側が開口している。左右の各バッテリパック収容部１１ｃには後側の開口からバッテリパック３１が着脱自在に収容される。各バッテリパック収容部１１ｃには上述した取付部２５が設けられており、各バッテリパック収容部１１ｃに収容されたバッテリパック３１は取付部２５に着脱可能に取り付けられる。左側の取付部２５はバッテリパック収容部１１ｃ内の右側に設けられており、右形の取付部２５はバッテリパック収容部１１ｃ内の左側に設けられており、左右の両取付部２５は本体ケーシング１１内の左右方向の中央部にて互いに隣接する位置に設けられている。
【００４３】
また、参考例２と同様に、各バッテリパック収容部１１ｃの前部となる奥部には板ばねよりなるばね部材１７が設けられており、バッテリパック３１はばね部材１７は後側に付勢されている。バッテリパック収容部１１ｃ内にてバッテリパック３１を取付部２５に取り付けた状態で、本体ケーシング１１の後部１１ｂを上側に回動させ、バッテリパック３１のフック３６を取付部２５の係止部２５ｃから解除させれば、バッテリパック３１はばね部材１７による付勢力により後側に押し出される。バッテリパック３１の後部はバッテリパック収容部１１ｃの後側の開口から突き出た状態となるので、バッテリパック３１の後部を摘んでバッテリパック収容部１１ｃから後側に引き出して簡単に取り外すことができる。
【００４４】
（参考例４）
参考例４のチェーンソー１０は、図１６の右側面図に示したように、本体ケーシング１１の後部にバッテリパック収容部１１ｃを上下２段に設けたものである。バッテリパック収容部１１ｃは右側面側が開口しており、バッテリパック３１はこの開口からバッテリパック収容部１１ｃ内に収容される。バッテリパック収容部１１ｃには上述した取付部２５が設けられており、各バッテリパック収容部１１ｃに収容されたバッテリパック３１は取付部２５に着脱可能に取り付けられる。上段の取付部２５はバッテリパック収容部１１ｃ内の下部に設けられており、下段の取付部２５はバッテリパック収容部１１ｃ内の上部に設けられており、上段及び下段の取付部２５は互いに隣接する位置に設けられている。
【００４５】
また、バッテリパック収容部１１ｃの左側部となる奥部には変形例７に示したように板ばねよりなるばね部材（図示省略）が設けられており、バッテリパック３１はばね部材によって右側に付勢されている。バッテリパック収容部１１ｃ内にてバッテリパック３１を取付部２５に取り付けた状態で、バッテリパック３１のフック３６を取付部２５の係止部２５ｃから解除させれば、バッテリパック３１はばね部材による付勢力により右側に押し出される。バッテリパック３１の右側部はバッテリパック収容部１１ｃの右側の開口から突き出た状態となるので、バッテリパック３１の右側部を摘んでバッテリパック収容部１１ｃから右側に引き出して簡単に取り外すことができる。
【００４６】
（参考例５）
参考例５のチェーンソー１０は、図１７に示したように、本体ケーシング１１の下側後部にバッテリパック収容部１１ｃを前後に２つ設けたものである。バッテリパック収容部１１ｃは右側面側が開口しており、バッテリパック３１はこの開口からバッテリパック収容部１１ｃ内に収容される。前後に並べて取り付けた２つのバッテリパック３１の互いに隣り合う壁面の間隔は５ｍｍとなっており、２つのバッテリパック３１による占有空間を狭くしている。なお、２つのバッテリパック３１の互いに隣り合う壁面の間隔を１５ｍｍ未満としていれば、２つのバッテリパック３１による占有空間を十分に狭くすることができる。バッテリパック収容部１１ｃ内の上部には上述した取付部２５が設けられており、各バッテリパック収容部１１ｃに収容されたバッテリパック３１は取付部２５に着脱可能に取り付けられる。
【００４７】
また、バッテリパック収容部１１ｃの左側部となる奥部には参考例２及び３に示したように板ばねよりなるばね部材（図示省略）が設けられており、バッテリパック３１はばね部材によって右側に付勢されている。バッテリパック収容部１１ｃ内にてバッテリパック３１を取付部２５に取り付けた状態で、バッテリパック３１のフック３６を取付部２５の係止部２５ｃから解除させれば、バッテリパック３１はばね部材による付勢力により右側に押し出される。バッテリパック３１の右側部はバッテリパック収容部１１ｃの右側の開口から突き出た状態となるので、バッテリパック３１の右側部を摘んでバッテリパック収容部１１ｃから右側に引き出して簡単に取り外すことができる。
【００４８】
（変形例６）
変形例６のチェーンソー１０は、図１８に示したように、本体ケーシング１１の後部にてリアハンドル１３の下側に２つの取付部２５を前後に並べて配設し、２つのバッテリパック３１を本体ケーシング１１の後部にてリアハンドル１３の下側に前後に並べて取り付けるようにした。前後に並べて取り付けた２つのバッテリパック３１の互いに隣り合う壁面の間隔は５ｍｍとなっており、２つのバッテリパック３１による占有空間を狭くしている。なお、２つのバッテリパック３１の互いに隣り合う壁面の間隔を１５ｍｍ未満としていれば、２つのバッテリパック３１による占有空間を十分に狭くすることができる。後側からみたときの２つのバッテリパック３１の各々の重心はリアハンドル１３のグリップ部１３ａの上下方向に延びる左右方向の中心線Ｃから左右両側にグリップ部１３ａの左右方向の長さの１．５倍の範囲Ｒに位置しており、チェーンソー１０の後側からみたときの重心はリアハンドル１３のグリップ部１３ａの上下方向に延びる左右方向の中心線Ｃから左右両側にグリップ部１３ａの左右方向の長さの１．５倍の範囲Ｒに位置している。なお、上記の実施例では、２つのバッテリパック３１の互いに隣り合う壁面の間隔は５ｍｍとしたが、２つのバッテリパック３１の互いに隣り合う壁面の間隔を１５ｍｍ以上としたときには、２つのバッテリパック３１の間に指を入れて着脱操作をし易くできる。
【００４９】
（変形例７）
変形例７のチェーンソー１０は、図１９に示したように、本体ケーシング１１の後部にてリアハンドル１３の下側に２つの取付部２５を左右に並べて配設し、２つのバッテリパック３１を本体ケーシング１１の後部にてリアハンドル１３の下側に左右に並べて取り付けるようにした（図１９では右側の取付部２５及び右側のバッテリパック３１を示し、左側の取付部２５及び左側のバッテリパック３１は右側と左右対称となっているため図示は省略する）。左右に並べて取り付けた２つのバッテリパック３１の互いに隣り合う壁面の間隔は５ｍｍとなっており、２つのバッテリパック３１による占有空間を狭くしている。なお、２つのバッテリパック３１の互いに隣り合う壁面の間隔を１５ｍｍ未満としていれば、２つのバッテリパック３１による占有空間を十分に狭くすることができる。後側からみたときの２つのバッテリパック３１の各々の重心はリアハンドル１３のグリップ部１３ａの上下方向に延びる左右方向の中心線Ｃから左右両側にグリップ部１３ａの左右方向の長さの１．５倍の範囲Ｒに位置しており、チェーンソー１０の後側からみたときの重心はリアハンドル１３のグリップ部１３ａの上下方向に延びる左右方向の中心線Ｃから左右両側にグリップ部１３ａの左右方向の長さの１．５倍の範囲Ｒに位置している。さらに、２つバッテリパック３１は各重心Ｇ１がグリップ部１３ａの上下方向に延びる左右方向の中心線Ｃから左右両側に分かれるように配置されている。なお、上記の実施例では、２つのバッテリパック３１の互いに隣り合う壁面の間隔は５ｍｍとしたが、２つのバッテリパック３１の互いに隣り合う壁面の間隔を１５ｍｍ以上としたときには、２つのバッテリパック３１の間に指を入れて着脱操作をし易くできる。
【００５０】
（変形例８）
変形例８のチェーンソー１０は、図２０に示したように、本体ケーシング１１の後部にてリアハンドル１３の下側の左右方向の中央部に２つの取付部２５を配設し、２つのバッテリパック３１を本体ケーシング１１の後部にてリアハンドル１３の下側にて左右両側取り付けるようにした（図２０では右側の取付部２５及び右側のバッテリパック３１を示し、左側の取付部２５及び左側のバッテリパック３１は右側と左右対称となっているため図示は省略する）。後側からみたときの２つのバッテリパック３１の各々の重心Ｇはリアハンドル１３のグリップ部１３ａの上下方向に延びる左右方向の中心線Ｃから左右両側にグリップ部１３ａの左右方向の長さの１．５倍の範囲Ｒに位置しており、チェーンソー１０の後側からみたときの重心はリアハンドル１３のグリップ部１３ａの上下方向に延びる左右方向の中心線Ｃから左右両側にグリップ部１３ａの左右方向の長さの１．５倍の範囲Ｒに位置している。さらに、２つバッテリパック３１は各重心Ｇ１がグリップ部１３ａの上下方向に延びる左右方向の中心線Ｃから左右両側に分かれるように配置されている。
【００５１】
上記のように構成したチェーンソー１０においては、２つのバッテリパック３１を電動モータ２３に対して直列接続したものについて説明したが、本発明はこれに限られるものでない。２つ（複数）のバッテリパック３１を電動モータ２３に対して直列接続したときには、電動モータ２３を高出力で使用することができ、２つ（複数）のバッテリパック３１を電動モータ２３に対して並列接続したときには、電動モータ２３を長時間使用することが可能となる。なお、この直列接続及び並列接続を制御回路により選択可能としてもよい。
【００５２】
上記のように構成したチェーンソー１０においては、公称電圧が１８Ｖのバッテリパック３１を用いて説明したが、本発明はこれに限られるものでなく、これよりも大型（高電圧）または小型（低電圧）の規格のバッテリパックを用いたものであってもよい。また、上記の実施形態では、同一体積、同一重量の同規格のバッテリパック３１を２つ用いたものについて説明したが、本発明はこれに限られるものでなく、異なる体積、異なる重量の異なる規格のバッテリパックを適宜組み合わせたものであってもよい。
【００５３】
上記のチェーンソー１０の実施形態においては、バッテリパック３１の種々の配置形態を示したが、バッテリパック３１の配置形態は上記に限られるものではない。例えば、上記で示したバッテリパック３１の配置箇所を適宜組み合わせ、各々の配置箇所にバッテリパック３１を１つずつ配置していてもよい。
【００５４】
上記のチェーンソー１０の実施形態においては、複数のバッテリパック３１の一例として２つのバッテリパック３１を用いて説明したが、本発明はこれに限られるものでなく、バッテリパック３１を３つ以上としたときであってもよい。このようにしたときにも、上述したように、３つ以上のバッテリパック３１を本体ケーシング１１に重量バランスをよく取り付けるようにすれば、同様の作用効果を得ることができる。
【００５５】
なお、変形例９〜１１（図１６〜図１８）では、バッテリパック３１を本体ケーシング１１の右側から左側にスライドさせて取り付けるようにしているが、これに限られるものでなく、バッテリパック３１を本体ケーシング１１の左側から右側にスライドさせて取り付けるようにしてもよい。
【符号の説明】
【００５６】
１０…チェーンソー、１１…本体ケーシング、２１…ガイドバー、２２…ソーチェーン、２３…電動モータ、２５…取付部、２５ａ…コネクタ部、２５ｂ…ガイドレール、２５ｃ…係止部、３０…電源、３１…バッテリパック、３２…ケーシング、３３…電池セル、３４…電気コネクタ、３５…レール、３６…フック、Ｇ…チェーンソーの重心、Ｇ１…バッテリパックの重心、Ｃ…中心線（グリップ部を後側から見たときの上下方向に延びる左右方向の中心線）、Ｒ…範囲（グリップ部の中心線Ｃから左右両側にグリップ部の左右方向の長さの１．５倍の範囲）。
【図１】
0006300271.tif 000002
【図２】
0006300271.tif 000003
【図３】
0006300271.tif 000004
【図４】
0006300271.tif 000005
【図５】
0006300271.tif 000006
【図６】
0006300271.tif 000007
【図７】
0006300271.tif 000008
【図８】
0006300271.tif 000009
【図９】
0006300271.tif 000010
【図１０】
0006300271.tif 000011
【図１１】
0006300271.tif 000012
【図１２】
0006300271.tif 000013
【図１３】
0006300271.tif 000014
【図１４】
0006300271.tif 000015
【図１５】
0006300271.tif 000016
【図１６】
0006300271.tif 000017
【図１７】
0006300271.tif 000018
【図１８】
0006300271.tif 000019
【図１９】
0006300271.tif 000020
【図２０】
0006300271.tif 000021